(57)【要約】【課題】伝送路における信号品質劣化の回避を容易に行うことができるようにしたデジタル光伝送装置を提供する。【解決手段】親局装置３および子局装置５のフォーマット部１２、１８に、伝送路における信号品質の劣化を防止する等化器１３を設け、上り方向パイロット信号および下り方向パイロット信号によって接続状態を検出する子局接続状態検出手段１５および親局接続状態検出手段２３と、これらの接続状態検出手段１５、２３により接続状態を認識した後、予め設定した時間だけ送信された上り方向パイロット信号および下り方向パイロット信号を受けて波形劣化内容を把握して等化器１３、２２を最適化動作させる最適化処理部１６、２４とを設けた。【選択図】図１
2010021693.tif 000002
【特許請求の範囲】
【請求項１】
親局装置と子局装置間を光ファイバで接続し、デジタル光信号によって送信を行うデジタル光伝送装置において、前記親局装置および前記子局装置に、前記光ファイバ伝送路における信号品質の劣化を防止するための等化器と、前記子局装置および前記親局装置から送信されたパイロット信号によって接続状態を検出する接続状態検出手段と、この接続状態検出手段により接続状態を検出した後、予め設定した時間だけ送信されるパイロット信号を受けて波形劣化内容を把握して前記等化器の最適化動作処理を行わせる最適化処理部とを設けたことを特徴とするデジタル光伝送装置。
【発明の詳細な説明】
【技術分野】
【０００１】
本発明は、デジタル光伝送技術を用いたデジタル光伝送装置に関する。
【背景技術】
【０００２】
従来のデジタル光伝送装置は、図５に示したように親局装置３と子局装置５間を光ファイバ４で接続し、基地局装置１から無線入出力信号２を親局装置３に入力してデジタル光信号に変換した後、このデジタル光信号を光ファイバ４を通して遠隔地に設置した子局装置５に伝送し、この子局装置５で無線入出力信号２と等しい無線入出力信号６Ａに再び変換した後、ＲＦ装置７を通して移動局に送信するようにしている。このようなデジタル光伝送装置の親局装置３と子局装置５間では、様々な機能が追加されて相互通信が可能に構成されている（例えば、特許文献１を参照）。
【特許文献１】特開２００６−２４５８８４号公報
【発明の開示】
【発明が解決しようとする課題】
【０００３】
ところで、上述したデジタル光伝送装置では、親局装置３と子局装置５間の伝送距離が長ければ長いほど基地局装置１のサービスエリアを拡大させることができるが、親局装置３と子局装置５間の伝送距離が数ｋｍ程度にもなると、伝送路におよる信号品質の劣化により伝送距離に制限を受けてしまう。この距離制限を回避するために等化器の採用が考えられるが、パイロット信号を用いて等化器を最適化する場合に、親局装置３と子局装置５間の接続された状態を把握することができないので、パイロット信号の送信時間の設定が難しいという問題がある。
【０００４】
そこで、本発明の目的は、伝送路におよる信号品質劣化の回避を容易に行うことができるようにしたデジタル光伝送装置を提供することにある。
【課題を解決するための手段】
【０００５】
本発明は上記目的を達成するために、親局装置と子局装置間を光ファイバで接続し、デジタル光信号によって送信を行うデジタル光伝送装置において、前記親局装置および前記子局装置に、前記光ファイバ伝送路における信号品質の劣化を防止するための等化器と、前記子局装置および前記親局装置から送信されたパイロット信号によって接続状態を検出する接続状態検出手段と、この接続状態検出手段により接続状態を検出した後、予め設定した時間だけ送信されるパイロット信号を受けて波形劣化内容を把握して前記等化器の最適化動作処理を行わせる最適化処理部とを設けたことを特徴とする。
【発明の効果】
【０００６】
本発明によるデジタル光伝送装置は、等化器の付設によって伝送路における信号品質の劣化を防止することができるので、親局装置と子局装置間の伝送距離を拡大して基地局装置のサービスエリアを拡大することができる。しかも、親局装置と子局装置との接続タイミングを接続状態検出手段で、例えばデジタル信号の電力測定によって把握することができるので、等化器の最適化動作を行わせるためのパイロット信号の送信時間を予め設定しておき、このパイロット信号による接続状態の検出タイミングに合わせて自動で等化器の最適化動作を容易に行うことができ、伝送路におよる信号品質劣化の回避を容易に行うことができるようにしたデジタル光伝送装置を得ることができる。
【発明を実施するための最良の形態】
【０００７】
以下、本発明の実施の形態を図面に基づいて説明する。
図１は、本発明の一実施の形態によるデジタル光伝送装置の親局装置５を示すブロック構成図である。
この親局装置３は、基地局装置１からの無線入出力信号２Ａを入力してＩＦ周波数に変換するＲＦ／ＩＦ変換部９と、ＩＦ周波数に変換した信号をデジタル信号に変換するＡ／Ｄ変換部１０と、後述するフォーマット部１２からのデジタル信号をアナログ信号に変換するＤ／Ａ変換部１１と、デジタル光信号または無線入出力信号２Ａにおける信号ファーマットに合わせてＡ／Ｄ変換部１０でデジタル化された信号またはＤ／Ａ変換部１１でアナログ化された信号をマッピングするフォーマット部１２と、電気入出力信号とデジタル光信号の間で変換を行う光トランシーバ部１４と、伝送路における信号品質の劣化を防止して伝送距離を増大するために設けた等化器１３と、子局装置５から親局装置３への上り方向パイロット信号によって子局接続状態を検出する子局接続状態検出手段１５と、この子局接続状態検出手段１５により子局接続状態を認識した後、予め設定した時間だけ送信された上り方向パイロット信号を受けて波形劣化内容を把握して等化器１３を最適化動作させる最適化処理部１６とを有している。
【０００８】
図２は、デジタル光伝送装置における子局装置５を示すブロック構成図である。
上述した親局装置３と光ファイバ４によって接続した子局装置３は、電気入出力信号とデジタル光信号の間で変換を行う光トランシーバ部１７と、デジタル光信号または無線入出力信号６Ａ〜６Ｎにおける信号ファーマットに合わせて信号をマッピングするフォーマット部１８と、フォーマット部１８からのデジタル信号を変換するＤ／Ａ変換部１９と、フォーマット部１８へのデジタル信号に変換するＡ／Ｄ変換部２０と、Ｄ／Ａ変換部１９からの信号をＲＦ周波数に変換したり無線入出力信号６Ａ〜６ＮをＩＦ周波数に変換するＲＦ／ＩＦ変換部２１と、伝送路における信号品質の劣化を防止して伝送距離を増大するために設けた等化器２２と、親局装置３から子局装置５への下り方向パイロット信号によって親局接続状態を検出する親局接続状態検出手段２３と、この親局接続状態検出手段２３により親局接続状態を認識した後、予め設定した時間だけ送信された上り方向パイロット信号を受けて波形劣化内容を把握して等化器２２を最適化動作させる最適化処理部２４とを有している。
【０００９】
上述した親局装置３および子局装置５を用いて、従来の場合と同様に図５に示したようにデジタル光伝送装置を構成すると、基地局装置１から移動局側への下り方向に無線入出力信号２Ａが伝送された場合、この無線入出力信号２Ａが図１に示した親局装置３に入力される。ＲＦ／ＩＦ変換部９では無線入出力信号２ＡをＩＦ周波数に変換してＡ／Ｄ変換部１０に出力する。これを入力したＡ／Ｄ変換部１０ではデジタル信号に変換し、次いで、フォーマット部１２では、デジタル光信号４における信号ファーマットに合わせてＡ／Ｄ変換部１０でデジタル化された信号をマッピングして出力する。その後、光トランシーバ部１４では、フォーマット部１２からの電気入出力信号をデジタル光信号に変換して光ファイバ４を通して子局装置５へ出力する。
【００１０】
これを受けた子局装置５では、光ファイバ４を通してデジタル光信号が光トランシーバ部１７で電気信号に変換されてフォーマット部１８に入力される。フォーマット部１８では、無線入出力信号６Ａ〜６Ｎにおける信号ファーマットに合わせて信号をマッピングしてＤ／Ａ変換部１９に入力され、このＤ／Ａ変換部１９ではアナログ信号に変換される。その後、ＲＦ／ＩＦ変換部２１でＤ／Ａ変換部１９からの信号をＲＦ周波数に変換し無線入出力信号６ＡとしてＲＦ装置７Ａへ伝送される。
【００１１】
一方、ＲＦ装置７Ａを通して移動局側から基地局装置１側への上り方向に無線入出力信号６Ａが子局装置５に入力された場合、ＲＦ／ＩＦ変換部２１では無線入出力信号６ＡをＩＦ周波数に変換してＡ／Ｄ変換部２０に出力する。これを入力したＡ／Ｄ変換部２０ではデジタル信号に変換し、次いで、フォーマット部１８では、光ファイバ４のデジタル光信号における信号ファーマットに合わせてＡ／Ｄ変換部２０でデジタル化された信号をマッピングして出力する。その後、光トランシーバ部１７では、フォーマット部１８からの電気入出力信号をデジタル光信号に変換して光ファイバ４を通して親局装置３へ出力する。
【００１２】
これを受けた親局装置５では、光ファイバ４を通してデジタル光信号が光トランシーバ部１４で電気信号に変換されてフォーマット部１２に入力される。このフォーマット部１２では、無線入出力信号２Ｂにおける信号ファーマットに合わせて信号をマッピングしてＤ／Ａ変換部１１に入力され、このＤ／Ａ変換部１１ではアナログ信号に変換される。その後、ＲＦ／ＩＦ変換部９でＤ／Ａ変換部１１からの信号をＲＦ周波数に変換し無線入出力信号２Ｂとして基地局装置１へ伝送される。
【００１３】
次に、等化器１３、２２の最適化動作について説明する。
図３および図４は、親局装置３および子局装置５の最適化動作処理を示したフローチャートである。親局装置３および子局装置５にそれぞれ等化器１３、２２を付設して図１および図２のように構成し、親局装置３と子局装置５間を接続する光ファイバ４を付設した後、図４に示したように子局装置５から親局装置３に対して上り方向パイロット信号を送信することによって親局装置３の等化器１３の最適化動作処理を開始させる。このときのパイロット信号の中身と送信時間Ｔ１は予め設定されている。
【００１４】
親局装置３は、図３のフローチャートに示すようにステップＳ２で子局装置５からの上り方向パイロット信号を受信したかどうかを監視しており、光ファイバ４を通して上り方向パイロット信号が光トランシーバ部１４で電気信号に変換されてフォーマット部１２に入力されて、子局装置５からの上り方向パイロット信号を検出する。
【００１５】
同時に、親局装置３の構成が、無線信号をＡ／Ｄ変換部１０で変換して変調機能を用いてデジタルＩＱ信号とし、このデジタルＩＱ信号に対して電力演算を行っている場合、ステップＳ３で上述した光ファイバ４からのデジタル光信号は、フォーマット部１２に搭載されている子局接続状態検出手段１５、例えばＦＰＧＡで電圧測定され、この測定電力値が予め定められた閾値よりも大きいかどうかを判断することによって子局接続状態が検出される。また、親局装置３の構成が、無線信号をＡ／Ｄ変換部１０で変換してデジタル化した信号をデジタル値として測定している場合は、ステップＳ３で子局接続状態検出手段１５でこのデジタル信号値が予め定めた閾値よりも大きいかどうかを判断することによって子局接続状態が検出される。
【００１６】
親局装置３の子局接続状態検出手段１５で子局接続状態が検出されると、最適化処理部１６に検出信号が与えられ、この最適化処理部１６ではステップＳ４で、上り方向パイロット信号を受けて波形劣化内容を把握し、これに応じて等化器１３に最適化動作を行わせる。
【００１７】
その後、親局装置３は、ステップＳ５で示したように親局装置３における等化器１３の最適化動作が完了した信号である送信時間Ｔ２の下り方向パイロット信号を子局装置５に対して送信する。このときの下り方向パイロット信号の中身と送信時間Ｔ２は予め設定されている。
【００１８】
親局装置３からデジタル光信号に変換して光ファイバ４を通して子局装置５へ下り方向のパイロット信号を出力すると、光ファイバ４を通してデジタル光信号が子局装置５の光トランシーバ部１７で電気信号に変換されてフォーマット部１８に入力される。子局装置５では、図４に示したステップＳ６で送信時間Ｔ１内であるかどうかを監視すると共に、ステップＳ７で親局装置３からの下り方向パイロット信号を受信したかどうかを監視しているので、光ファイバ４を通して下り方向パイロット信号が光トランシーバ部１７で電気信号に変換されてフォーマット部１８に入力されて、親局装置３からの下り方向パイロット信号が検出される。
【００１９】
下り方向パイロット信号の監視と同時に子局装置５では、ステップＳ８で親局接続状態を検出する。フォーマット部１８に搭載されている親局接続状態検出手段２３は、上述した子局接続状態検出手段１５の場合と同様に判断することによって親局接続状態が検出される。この検出信号は最適化処理部２４に与えられ、この最適化処理部２４ではステップＳ９で下り方向パイロット信号から波形劣化内容を把握し、これに応じて等化器２２に最適化動作を行わせる。
【００２０】
上述した子局装置５での下り方向パイロット信号の検出は、既に親局装置３が子局接続状態を検出したことを識別したことにもなるので、この時点で子局装置５は先の上り方向パイロット信号の送信を停止する。これは、ステップＳ６で予め設定した送信時間Ｔ１内で行われたかどうかを監視されており、この送信時間Ｔ１内に子局装置５で下り方向パイロット信号を検出できない場合は、タイムオーバーとなり、ステップ１１で異常をアラームなどで知らせる。
【００２１】
一方、子局装置５では、等化器２２の最適化動作が完了すると、その完了信号であるパイロット信号をステップＳ９で親局装置３に送信する。親局装置３では、ステップＳ５で下り方向パイロット信号を子局装置５に送信した後、ステップＳ１２で送信時間Ｔ２内に子局装置５からの完了信号の受信を監視しており、完了信号を受信すると、既に子局装置５が親局接続状態を検出したことを識別したことになるので、ステップＳ１３で先の下り方向パイロット信号の送信を停止する。しかし、この送信時間Ｔ２内に親局装置３で完了パイロット信号を検出できない場合は、タイムオーバーとなり、ステップＳ１４で異常をアラームなどで知らせる。
【００２２】
このように上述したデジタル光伝送路では、その伝送路中の親局装置３および子局装置５にそれぞれ等化器１３、２２を設け、これら等化器１３、２２の最適化動作を行わせるためのパイロット信号の受信を接続状態検出手段１５、２３の電力検出などによって検出するようにし、この検出後、それぞれの最適化処理部２４により等化器１３、２２の最適化動作を開始するようにしたため、自動で接続状態を検出し、等化器１３、２２の最適化動作を行わせることができるようになる。しかも、等化器１３、２２の最適化動作が完了した後に返信されるパイロット信号によって、最適化処理を行わせるためのパイロット信号を停止させることができるので、最適化処理を行わせるためのパイロット信号の送信時間を予め設定することができるようになる。こうして簡単な構成で最適動作処理を極めて容易に行うことが可能となり、伝送路の信号品質の劣化を防止して伝送距離を拡大して、基地局装置１によるサービスエリアを拡大することができる。
【００２３】
上述した親局装置３と子局装置５間の光ファイバ４によるデジタル光伝送路は、有線伝送路なので、光ファイバー４の敷設工事が終了したら伝送路条件は変化しない。このため、上述したパイロット信号の送信による等化器１３、２２の最適化動作は装置設置時にのみ実施すれば良い。
【産業上の利用可能性】
【００２４】
本発明によるデジタル光伝送装置は、図２および図３に示めした構成のものに限らず使用することができる。
【図面の簡単な説明】
【００２５】
【図１】本発明の一実施の形態によるデジタル光伝送装置の親局装置を示すブロック構成図である。
【図２】本発明の一実施の形態によるデジタル光伝送装置の子局装置を示すブロック構成図である。
【図３】図１に示した親局装置における等化器の最適化動作処理を示すフローチャートである。
【図４】図２に示した子局装置における等化器の最適化動作処理を示すフローチャートである。
【図５】一般的なデジタル光伝送装置を示すブロック構成図である。
【符号の説明】
【００２６】
１  基地局装置
２Ａ、２Ｂ  無線入出力信号
３  親局装置
４  光ファイバ
５  子局装置
６Ａ〜６Ｎ  無線入出力信号
７Ａ〜７Ｎ  ＲＦ装置
９、２１  ＲＦ／ＩＦ変換部
１０、２０  Ａ／Ｄ変換部
１１、１９  Ｄ／Ａ変換部
１２、１８  フォーマット部
１３、２２  等化器
１４、１７  光トランシーバ部
１５  子局接続状態検出手段
１６、２４  最適化処理部
２３  親局接続状態検出手段
【図１】
2010021693.tif 000003
【図２】
2010021693.tif 000004
【図３】
2010021693.tif 000005
【図４】
2010021693.tif 000006
【図５】
2010021693.tif 000007